(57)【要約】【課題】支柱及びフレーム間のねじゆるみを抑制できる屋外看板を提供する。【解決手段】屋外看板１は、パネル５が装着されるメインフレーム３と、前記メインフレーム３が取り付けられ、中空の角パイプ材により形成され、一端側が地中に埋設され他端側が地上に突出するように配置され、外側胴部２ｃに設けられた外側孔２ａと、内側胴部２ｄに設けられた内側孔２ｂとを有する支柱２と、前記支柱２の前記外側孔２ａを挿通して通り抜け、軸部６ｃが内側孔２ｂに挿通され、前記メインフレーム３に螺合して内側胴部２ｄ及び前記メインフレーム３を接合することにより、前記メインフレーム３を前記支柱２に取り付けるおねじ６と、前記支柱２の前記外側孔２ａを塞ぐキャップ７とを備える。【選択図】図２
0003162305.tif 000002
【実用新案登録請求の範囲】
【請求項１】
パネルが装着されるフレームと、
前記フレームが取り付けられ、中空のパイプ材により形成され、一端側が地面に対して固定され、他端側が地上に突出するように配置され、前記フレームの取り付け側とは反対側の胴部に設けられた第１孔部と、前記パイプ材の前記フレームの取り付け側の胴部のうち前記第１孔部とは対向する領域に設けられた第２孔部とを有する支柱と、
前記支柱の前記第１孔部を挿通して通り抜け、軸部が前記内側孔部に挿通され、前記フレームに螺合して前記取り付け側の胴部及び前記フレームを接合することにより、前記フレームを前記支柱に取り付けるおねじと、
前記支柱の前記第１孔部を塞ぐキャップと、
を備える屋外看板。
【請求項２】
請求項１に記載の屋外看板において、
前記フレームは、前記おねじが噛み合うナット部を備えること、
を特徴とする屋外看板。
【請求項３】
請求項１又は請求項２に記載の屋外看板において、
前記フレームの厚みは、前記パネルを取り付けた状態で、前記支柱の厚みより薄く、
前記支柱は、前記フレームを挟み込むように２つ配置され、
２つの前記支柱の頂部に係合し前記パネルとの間に隙間を設ける溝部を有し、前記支柱に接合されるブラケットと、
前記ブラケットを介して前記支柱に取り付けられる照明装置等の追加装置を備えること、
を特徴とする屋外看板。
【考案の詳細な説明】
【技術分野】
【０００１】
本考案は、自立式の屋外看板に関するものである。
【背景技術】
【０００２】
従来、駐車場等に施設される屋外看板があった（例えば特許文献１）。
しかし、従来の屋外看板は、支柱にパネルを装着する構成であったため、パネルに大きな風圧がかかると、パネルが支柱から外れてしまう可能性があった。
【先行技術文献】
【特許文献】
【０００３】
【特許文献１】特開平５−８８６３２号公報
【考案の概要】
【考案が解決しようとする課題】
【０００４】
本考案の課題は、支柱及びフレーム間のねじゆるみを抑制できる屋外看板を提供することである。
【課題を解決するための手段】
【０００５】
本考案は、以下のような解決手段により、課題を解決する。なお、理解を容易にするために、本考案の実施形態に対応する符号を付して説明するが、これに限定されるものではない。また、符号を付して説明した構成は、適宜改良してもよく、また、少なくとも一部を他の構成物に代替してもよい。
【０００６】
第１の考案は、パネル（５）が装着されるフレーム（３）と、前記フレームが取り付けられ、中空のパイプ材により形成され、一端側が地面に対して固定され、他端側が地上に突出するように配置され、前記フレームの取り付け側とは反対側の胴部（２ｃ）に設けられた第１孔部（２ａ）と、前記パイプ材の前記フレームの取り付け側の胴部（２ｄ）のうち前記第１孔部とは対向する領域に設けられた第２孔部（２ｂ）とを有する支柱（２）と、前記支柱の前記第１孔部を挿通して通り抜け、軸部（６ｃ）が前記内側孔部に挿通され、前記フレームに螺合して前記取り付け側の胴部及び前記フレームを接合することにより、前記フレームを前記支柱に取り付けるおねじ（６）と、前記支柱の前記第１孔部を塞ぐキャップ（７）と、を備える屋外看板である。
第２の考案は、第１の考案の屋外看板において、前記フレーム（３）は、前記おねじが噛み合うナット部（３ｅ）を備えること、を特徴とする屋外看板である。
第３の考案は、第１又は第２の考案の屋外看板において、前記フレーム（３）の厚み（ｔ３）は、前記パネル（５）を取り付けた状態で、前記支柱（２）の厚み（ｔ２）より薄く、前記支柱は、前記フレームを挟み込むように２つ配置され、２つの前記支柱の頂部（２ｆ）に係合し前記パネル（５）との間に隙間（２１ｃ）を設ける溝部（２１）を有し、前記支柱に接合されるブラケット（２０）と、前記ブラケットを介して前記支柱に取り付けられる照明装置（１０）等の追加装置を備えること、を特徴とする屋外看板である。
【考案の効果】
【０００７】
本考案によれば、以下の効果を奏することができる。
（１）本考案は、支柱にフレームを設け、そこにパネルを装着するので、フレームがパネルを保持する構成にできるため、耐風圧性を向上できる。また、支柱の第１孔部を挿通して通り抜け、取り付け側の胴部及びフレームを接合するおねじを備えるので、おねじの座が、支柱のうち取り付け側の胴部のみを挟み込む構造にできるため、ねじゆるみを防止できる。さらに、第１孔部を塞ぐキャップを備えるので、おねじの頭部が露出せず、見栄えをよくすることができる。
（２）本考案は、フレームがナット部を備えるので、おねじがナット部に確実に噛み合いできるため、支柱及びフレーム間を確実に接合できる。これにより、支柱及びフレーム間の接合強度を向上できるので、耐風圧性をより一層向上できる。
（３）本考案は、ブラケットが、２つの支柱の頂部に係合し、支柱に接合されるので、作業性を向上できると同時に、追加装置の取り付け強度を向上できる。また、ブラケットが、パネルとの間に隙間を設ける溝部を有するので、軒のように作用して、広告に雨染みが付着することを抑制できる。
【図面の簡単な説明】
【０００８】
【図１】実施形態の屋外看板１の三面図である。
【図２】実施形態の屋外看板１の拡大図である。
【図３】実施形態の照明装置１０及びブラケット２０の取り付けを説明する側面図である。
【考案を実施するための形態】
【０００９】
（実施形態）
以下、図面等を参照して、本考案の実施形態について説明する。
図１は、実施形態の屋外看板１の三面図である。
図１（ａ）は、実施形態の屋外看板１の正面図、図１（ｂ）は、上面図、図１（ｃ）は、右側面図である。なお、図１（ａ）は、メインフレーム３、サブフレーム４の構造を図示するために、パネル５は２点鎖線で示した。
図２は、実施形態の屋外看板１の拡大図である。
図２（ａ）は、支柱２と、メインフレーム３及びサブフレーム４との接合部（図１に示す２点鎖線Ａ内）の拡大図である。
図２（ｂ）は、支柱２及びメインフレーム３の接合部の拡大図（図２（ａ）に示すＢ−Ｂ部矢視断面図）である。
図２（ｃ）は、支柱２及びサブフレーム４の接合部の拡大図（図２（ａ）に示すＣ−Ｃ部矢視断面図）である。
なお、以下の説明及び図面において、図１（ａ）に示すように、支柱２を軸方向が鉛直方向Ｚになるように配置し、かつパネル５の広告面５ａが正面を向くように配置した場合の左右方向をＸ、奥行方向をＹとする。
【００１０】
屋外看板１は、２本の支柱２と、メインフレーム３と、サブフレーム４と、パネル５と、おねじ６と、キャップ７とを備える。
２本の支柱２は、メインフレーム３、サブフレーム４を取り付けるための部材であり、メインフレーム３、サブフレーム４を左右方向Ｘの外側から挟み込むように配置される。支柱２は、下部が地中Ｇに埋設され、上部が地上に突出するように配置される。
なお、支柱２は、地面に対して固定できる形態であればよく、下部が地中Ｇに埋設される形態に限られない。例えば、支柱２の下端にベースプレートを溶接し、このベースプレートを地面に対してアンカーボルトで固定する形態であってもよい。
また２本の支柱２は、ほぼ左右対称の構成であるので、主に左側Ｘ１の支柱２について説明し、右側Ｘ２の支柱２は、適宜説明を省略する。支柱２は、中空の角パイプ材により形成される。支柱２の頂部２ｆは、板材が溶接等により接合され蓋がされ、雨水等が浸入しないようになっている（図３参照）。
【００１１】
支柱２は、外側孔２ａ（第１孔部）と、内側孔２ｂ（第２孔部）とを備える。
外側孔２ａは、メインフレーム３の取り付け側とは反対側（図２中左側Ｘ１）の胴部である外側胴部２ｃに設けられた貫通孔である。外側孔２ａは、開口部の形状が円形であり、おねじ６の頭部６ａよりも径が大きい。
内側孔２ｂは、メインフレーム３の取り付け側（図２中右側Ｘ２）の胴部つまり、外側胴部２ｃに対向する胴部である内側胴部２ｄに設けられた貫通孔である。内側孔２ｂは、開口部の形状が円形である。内側孔２ｂは、その中心軸が、外側孔２ａの中心軸と同軸である。つまり、内側孔２ｂは、外側孔２ａに対向する領域に設けられている。内側孔２ｂは、おねじ６の頭部６ａよりも径が小さく、おねじ６の軸部６ｃよりも径が大きい。
外側孔２ａ及び内側孔２ｂは、支柱２のメインフレーム３の取り付け位置の上端部及び下端部に、それぞれ１組ずつ設けられている。
【００１２】
メインフレーム３は、パネル５が装着される骨格であり、中空の角パイプ材により形成される。パネル５を取り付けた状態のメインフレーム３の総厚みｔ３（奥行方向Ｙの長さ）は、支柱２の総厚みｔ２よりも薄い（図２（ｂ）参照）。
メインフレーム３は、外枠３ａと、桟３ｄと、ナット３ｅとを備える。
外枠３ａは、メインフレーム３の外郭部分である。外枠３ａは、２本の横梁３ｂ及び２本の縦梁３ｃがコーナ部で溶接により接合されて、形成される（図２参照）。
桟３ｄは、外枠３ａ内部に配置された２本の中桟である。桟３ｄは、外枠３ａに溶接により接合されて、形成される（図２参照）。
なお、実施形態では、桟３ｄは縦向きに配置しているが、メインフレーム３の大きさ等に応じて、横向きに配置してもよい。
ナット３ｅは、各縦梁３ｃの外側（図２中左側Ｘ１）の内壁の上端部及び下端部であって、支柱２の外側孔２ａ及び内側孔２ｂに対応する領域に、合計４箇所に設けられている。ナット３ｅは、すみ肉溶接等によって縦梁３ｃの外側（左側Ｘ１）の内壁に溶接されている。メインフレーム３は、ナット３ｅを縦梁３ｃに溶接した後に、横梁３ｂ及び縦梁３ｃを溶接して製造される。屋外看板１は、ナット３ｅを備えることにより、例えばメインフレーム３にタップでめねじを直に加工した場合に比べて、おねじ６を確実に噛み合わることができる。
【００１３】
サブフレーム４は、メインフレーム３の下側Ｚ１に配置された、メインフレーム３よりも小さい骨格である。サブフレーム４は、パネル５表面の面積つまり広告面５ｂの面積を、大きくしたい場合に、必要に応じて装着できる。
【００１４】
パネル５は、広告用のポスター等を貼付するための板材である。パネル５は、例えばアルミ化粧板（アルミニウムの板材及び樹脂の板材の合板）等である。パネル５は、メインフレーム３及びサブフレーム４に対応して分割して設けてもよく、又は一体で設けてもよい。パネル５は、メインフレーム３及びサブフレーム４に、ねじ５ａによりねじ止めされて装着される（図２（ａ）、図２（ｂ）参照）。
おねじ６は、メインフレーム３を支柱２に取り付けるための六角ボルトである。おねじ６を利用した取り付け構造は、後述する。
【００１５】
キャップ７は、外側孔２ａを塞ぐためのキャップである。キャップ７は、例えば樹脂等により形成され、外側孔２ａの縁に嵌合して、支柱２に装着される。屋外看板１は、キャップ７を設けることにより、外側孔２ａを塞ぐと同時に、おねじ６の頭部が露出しないようにできるので、見栄えをよくすることができる。
【００１６】
次に、支柱２及びメインフレーム３の取り付け構造について説明する。
図２（ｂ）に示すように、支柱２の外側孔２ａがおねじ６の頭部６ａよりも径が大きいので、おねじ６は、外側孔２ａを通り抜けることができる。一方、支柱２の内側孔２ｂは、おねじ６の頭部６ａよりも径が小さく、おねじ６の軸部６ｃよりも径が大きい。このため、おねじ６は、座６ｂが支柱２の内側胴部２ｄのみを挟み込んだ状態で、軸部６ｃがメインフレーム３のナット３ｅに噛み合うことによって、メインフレーム３を支柱２に装着する。なお、おねじ６は、必要に応じて、ワッシャ等を介在させてねじ止めしてもよい。
このように、屋外看板１は、おねじ６の座６ｂが内側胴部２ｄのみを挟み込む構造である。
【００１７】
一方、図２（ｃ）に示すように、サブフレーム４は、おねじ８の座８ｂがサブフレーム４の縦梁４ｃの左右全長を挟み込むようにして、支柱２にねじ止めされている。本実施形態では、サブフレーム４が十分に小型であるため、サブフレーム４に加わる外力等が小さいので、このような構成を利用している。しかし、この取り付け構造は、従来からメインフレーム３にも利用されてきた構造であり、仮に縦梁４ｃの角パイプ材が変形した場合には、おねじ８に軸力が働かなくなり、ねじゆるみが発生する。これは、おねじ７を支柱２の外側から支柱２の左右全長を挟み込むようにして、サブフレーム４の縦梁４ｃにねじ止めする場合も同様である。
これに対して、本実施形態では、仮に縦梁３ｃの角パイプ材が変形したとしても、おねじ６の座６ｂが内側胴部２ｄのみを挟み込んでいるので、おねじ６に軸力が働いている限り、角パイプ材の変形に関わらず、ねじゆるみを防止できる。
【００１８】
また、屋外看板１は、前述したように、強度を有する各パイプ材からなる支柱２及びメインフレーム３を、ねじ結合により強固に結合し、また、そしてそのメインフレーム３に対して、パネル５を装着する構成であるので、耐風圧性も向上できる。つまり、大きな風圧がかかっても、パネル５が外れることがない。
詳細な説明は省略するが、屋外看板１は、風速３４ｍ／ｓの耐風圧性能を備える設計にできることを確認済である。また、屋外看板１の構成であれば、支柱２及びメインフレーム３の板厚やサイズ等を適宜設定することにより、それ以上の耐風圧性能（例えば、５０ｍ／ｓ以上）を備える設計にもできる。
【００１９】
次に、照明装置１０の取り付け構造について説明する。
図３は、実施形態の照明装置１０及びブラケット２０の取り付けを説明する右側面図である。
図３（ａ）は、照明装置１０及びブラケット２０の支柱２への取り付けを示す図である。
図３（ｂ）は、照明装置１０及びブラケット２０と、メインフレーム３との位置関係を説明する断面図（図１（ａ）に示すIII−III部矢視断面に相当する図）である。
屋外看板１には、必要に応じて、パネル５を照光する照明装置１０等の追加装置を、ブラケット２０を介して装着できる。なお、追加装置は、照明装置１０に限らず、例えば、電飾装置、監視カメラ、スピーカ等を設けてもよい。ここでは、照明装置１０を例に説明する。
ブラケット２０は、左右方向Ｘの長さが、屋外看板１の左右方向Ｘの長さにほぼ等しくなるように、形成される。ブラケット２０は、鋼板等をプレス加工等して形成できる。ブラケット２０の左右方向Ｘから見たときの断面形状は、コの字状であり、左右に渡って一定である。
ブラケット２０は、照明装置１０が予めねじ１１によってねじ止めされた状態で、屋外看板１に装着される。
【００２０】
図３（ａ）に示すように、ブラケット２０の内側に形成された溝部２１の幅Ｌ２０（奥行方向Ｙの長さ）は、支柱２の奥行方向Ｙの長さＬ２よりも、少し大きい程度である。このため、ブラケット２０は、溝部２１を支柱２の頂部２ｆに挿入することにより、支柱２に係合する。つまり、溝部２１の底部２１ａ及び内側面２１ｂが、頂部２ｆに引っ掛かるような状態になる。
このため、作業者がブラケット２０及び照明装置１０を装着する場合には、この状態で、ブラケット２０及び照明装置１０から手を離しても、ブラケット２０及び照明装置１０が支柱２から脱落することはない。これにより、作業者は、ブラケット２０及び照明装置１０を保持する必要がない。そして、図３（ｂ）に示すように、ブラケット２０及びメインフレーム３（横梁３ｂ）をねじ止めすれば、ブラケット２０及び照明装置１０の屋外看板１への装着作業が終了する。
このように、屋外看板１は、ブラケット２０を備えることにより、追加装置の装着の作業性を向上でき、１人でも容易に装着できる。
【００２１】
また、屋外看板１は、ブラケット２０及び支柱２が係合するので、照明装置１０の取り付け強度を向上できる。
すなわち、照明装置１０に奥行方向Ｙに力が働いくと、図３（ａ）に示すように、ブラケット２０の内側面２１ｂが支柱２の側面に当接する。同様に、照明装置１０に回転力が働いてブラケット２０が回転しようとしても（回転方向θ参照）、ブラケット２０の内側面２１ｂが支柱２の側面に当接する。
このように、屋外看板１は、ブラケット２０及び支柱２が係合することにより、照明装置１０に加わる負荷を、支柱２が支持する構造になっている。
さらに、支柱２は、屋外看板１の強度を確保するために、十分な厚みｔ１２を有する。照明装置１０は、パネル５を装着した状態で、耐風基準を満足する強度を確保できるように、角パイプ材の厚み等が設定されているためである。
【００２２】
つまり、屋外看板１は、照明装置１０に加わる負荷を、十分な強度を有する支柱２が支持する構造にすることによって、照明装置１０の取り付け強度を向上できるわけである。
なお、ブラケット２０が支柱２から抜ける方向つまり上側Ｚ２へは、通常の使用時には、力が加わらない。このため、屋外看板１は、照明装置１０の取り付け時の作業性を向上するために、メインフレーム３にねじ止めしている。しかし、照明装置１０の取り付け強度をより向上したい場合には、ブラケット２０及び支柱２をねじ止めしてもよい。
【００２３】
一方、メインフレーム３の厚みｔ１３は、支柱２の厚みｔ１２よりも薄い。これは、メインフレーム３の厚みｔ１３を厚くすると、重量が重くなってしまうので、屋外看板１の強度低下を招くからである。
この点でも、屋外看板１は、メインフレーム３よりも強度を有する支柱２を選択して、ブラケット２０を係合させて、照明装置１０の取り付け強度を向上している。
【００２４】
さらに、図３（ｂ）に示すように、ブラケット２０は、メインフレーム３及びパネル５の上側Ｚ２を覆うように配置される。このため、溝部２１によって、ブラケット２０及びパネル５間に隙間２１ｃが形成されて、ブラケット２０が軒のように作用するので、ブラケット２０の上面に降った雨水は、ブラケット２０の左右方向Ｘの端部や、ブラケット２０及び照明装置１０間の小さい隙間２１ｄから地面に向けて落下する。このため、ブラケット２０は、雨水がパネル５に付着することを抑制できるので、広告面５ｂに雨染みが付着することを防止できる。
【００２５】
なお、屋外看板１が両面表示の場合、つまり奥側Ｙ２にも広告面５ｂを設ける場合には、照明装置１０を奥側Ｙ２にも設けるようにしてもよい。
【００２６】
以上説明したように、屋外看板１は、ねじゆるみを防止できるので、メインフレーム３を支柱２に確実に装着するので、耐風圧性を向上でき、またキャップ７を備えるので見栄えをよくできる。
さらに、屋外看板１は、追加装置を上側Ｚ２に設ける場合に、追加装置の取り付け強度を向上でき、また広告面５ｂへの雨染みの付着を抑制できる。
【００２７】
以上、本考案の実施形態について説明したが、本考案は前述した実施形態に限定されるものではなく、種々の変形や変更が可能であって、それらも本考案の技術的範囲内である。また、実施形態に記載した効果は、本考案から生じる最も好適な効果を列挙したに過ぎず、本考案による効果は、実施形態に記載したものに限定されない。
【符号の説明】
【００２８】
１…屋外看板    ２…支柱    ３…メインフレーム    ５…パネル    ６…おねじ    ７…キャップ    １０…照明装置    ２０…ブラケット    ２１…溝部
【図１】
0003162305.tif 000003
【図２】
0003162305.tif 000004
【図３】
0003162305.tif 000005